(57)【要約】【課題】小さな回路規模により、ＧＰＳ信号が利用できないときにも安定した通信を継続でき、また干渉の増大を抑制することができる基地局装置を提供する。【解決手段】基地局制御部は、外部基準信号が受信されない場合、非同期通信モードとなるとともに非同期通知信号を送信し、周辺の基地局が非同期状態である旨の信号が受信された場合、非同期通信モードとなり、非同期通信モードであるか否かに応じた通信制御を実行する。出力調整部は、外部基準信号が受信されない場合に無線信号の送信電力を低減し、外部基準信号が受信され、かつ、非同期通知信号が受信された場合に無線信号の送信電力を増大する。クロック選択部は、外部基準信号が受信されている場合には第１の基準クロックを、外部基準信号が受信されない場合には第２の基準クロックを自局の基準クロックとして選択する。【選択図】図１
2011233968.tif 000002
【特許請求の範囲】
【請求項１】
無線信号で端末と接続する基地局装置であって、
受信した外部基準信号に同期した第１の基準クロックを生成する第１のクロック生成部と、
前記外部基準信号に同期しない第２の基準クロックを自局内部で生成する第２のクロック生成部と、
前記第１のクロック生成部にて前記外部基準信号が受信されない場合、非同期の基地局間で端末の通信を維持できる非同期通信モードとなるとともに、自局が非同期状態である旨の非同期通知信号を送信し、周辺の基地局が非同期状態である旨の非同期通知信号が受信された場合、前記非同期通信モードとなり、前記非同期通信モードであるか否かに応じた通信制御を実行する基地局制御部と、
前記第１のクロック生成部にて前記外部基準信号が受信されない場合に前記無線信号の送信電力を低減し、前記外部基準信号が受信され、かつ、前記非同期通知信号が受信された場合に前記無線信号の送信電力を増大する出力調整部と、
前記第１のクロック生成部にて前記外部基準信号が受信されている場合、前記第１の基準クロックを自局の基準クロックとして選択し、前記第１のクロック生成部にて前記外部基準信号が受信されない場合、前記第２の基準クロックを自局の基準クロックとして選択するクロック選択部と、
を有する基地局装置。
【請求項２】
前記基地局制御部は、前記非同期通信モードにおいては、非同期の基地局間で実行可能なハンドオーバー制御を行う、請求項１に記載の基地局装置。
【請求項３】
前記基地局制御部は、前記自局が非同期状態である旨の非同期通知信号を基地局制御装置を介して前記周辺の基地局に送信し、前記周辺の基地局が非同期状態である旨の非同期通知信号を前記基地局制御装置を介して前記周辺の基地局から受信する、請求項１または２に記載の基地局装置。
【請求項４】
前記周辺の基地局は自局と互いに隣接する基地局である、請求項１から３のいずれか１項に記載の基地局装置。
【請求項５】
前記周辺の基地局は自局との間でハンドオーバーが生じ得る基地局である、請求項１から３のいずれか１項に記載の基地局装置。
【請求項６】
無線信号で端末と接続する基地局装置の制御方法であって、
外部基準信号が受信されている場合、該外部基準信号に同期した第１の基準クロックを自局の基準クロックとして用い、
前記外部基準信号が受信されない場合、自局内で生成した第２の基準クロックを自局の基準クロックとして用い、非同期の基地局間で端末の通信を維持できる非同期通信モードとなり、前記無線信号の送信電力を低減するとともに、自局が非同期状態である旨の非同期通知信号を送信し、
周辺の基地局が非同期状態である旨の非同期通知信号が受信された場合、前記非同期通信モードとなり、前記無線信号の送信電力を増大し、
前記非同期通信モードであるか否かに応じた通信制御を実行する、制御方法。
【発明の詳細な説明】
【技術分野】
【０００１】
本発明は、基地局装置が無線信号で端末と接続する無線通信システムおよびその基地局装置に関し、特に、端末が基地局装置間でハンドオーバーすることが可能な無線通信システムおよびその基地局装置に関する。
【背景技術】
【０００２】
基地局装置が無線信号で端末と接続する無線通信システムがある。この種の無線通信システムにおける基地局装置は、基準クロックあるいはそれに相当するようなクロックで動作する（特許文献１参照）。基地局装置同士が互いに同期したクロックで動作することにより、基地局装置間のスムーズなハンドオーバーが可能になる等のメリットがある。
【０００３】
図５は、特許文献１に記載された基地局の構成を示すブロック図である。図５を参照すると、基地局１１０は、基準クロック生成部２１０、クロック発生器２１２、クロック補正部２１４、同期クロック受信部２１６、同期クロック送信部２１８、位相差導出部２２０、位相差記憶部２２２、位相補正部２２４、および切替スイッチ２２６を有している。
【０００４】
基準クロック生成部２１０は、ＧＰＳ（Ｇｌｏｂａｌ  Ｐｏｓｉｔｉｏｎｉｎｇ  Ｓｙｓｔｅｍ）ユニット１６４によって構成される。基準クロック生成部２１０は、ＧＰＳアンテナから受信したＧＰＳ信号内の絶対時刻を用いて基準クロックを生成する。
【０００５】
また、基地局１１０がＧＰＳ衛星１５０からの信号を取得しない基地局であり、マスタ基地局として独立して動作可能なものである場合、基準クロック生成部２１０は、温度特性の良い高精度のクロック発生器によって基準クロックを生成する。
【０００６】
さらに、基地局１１０がＧＰＳ衛星からの信号を取得しない基地局であり、マスタ基地局としては機能しないものである場合、基準クロック生成部２１０は、上位の基地局から同期クロックを受信し、その同期クロックを自局の基準クロックとして用いる。
【０００７】
クロック発生器２１２は、基準クロック生成部２１０で生成された基準クロックあるいは同期クロック受信部２１６で受信された同期クロックを基にして、自局（自己の基地局）で用いる同期クロックを生成する。
【０００８】
クロック補正部２１４は、クロック発生器２１２が生成する同期クロックをフィードバック信号として、それを切替スイッチ２２６からのクロックと比較し、クロック発生器２１２の同期クロックを切替スイッチ２２６からのクロックに同期させるように補正する。かかる補正は、位相の進み調整および遅れ調整の両方を含むものとする。
【０００９】
同期クロック受信部２１６は、基地局無線部１６６内の復調部に構成され、他の基地局が同期クロックを送信する機能を有する場合、他の基地局からの同期クロックを受信する。同期クロック受信部２１６で受信された同期クロックは位相補正部２２４で位相が補正され、切替スイッチ２２６を介してクロック補正部２１４に供給される。
【００１０】
切替スイッチ２２６は、基地局１１０がＧＰＳによる基準クロックに同期して動作すべき基地局であるか、他の基地局からの同期クロックに同期して動作すべき基地局であるかに応じて、いずれかのクロックを選択し、クロック補正部２１４に供給する。
【００１１】
位相補正部２２４は、位相差導出部２２０で導出され位相差記憶部２２２に記憶された位相差および分散値の情報を基にして同期クロック受信部２１６からの同期クロックの位相を補正する。位相差導出部２２０は、基準クロック生成部２１０からの基準クロックと、同期クロック受信部２１６からの同期クロックとを比較し、その位相差および分散値を導出し、位相差記憶部２２２に記録する。
【００１２】
同期クロック送信部２１８は、基地局無線部１６６内の変調部に構成され、クロック発生部２１２が発生した自局の同期クロックを他の基地局に送信する。
【００１３】
同期クロック受信部２１６は他の基地局１１０からの同期クロックを自局で利用するためにあるのに対して、同期クロック送信部２１８は自局の同期クロックを他の基地局に利用させるためにある。これにより他の基地局は自局の同期クロックを基準クロックとして利用することが可能となる。
【００１４】
なお、同期クロック送信部２１８や同期クロック受信部２１６による基地局１１０間の無線通信には、基地局識別情報を送受信する場合と同様にブロードキャスト通信を用いてもよい。
【００１５】
また、同期クロックの基準となる最上位のマスタ基地局から各基地局への同期クロックがカスケード接続により伝達される構成の場合、同期クロック送信部２１８は、マスタ基地局から自局までのカスケード接続の段数を示す段数情報を送信できてもよい。
【００１６】
図５に示した基地局１１０を有する無線通信システムは、ＧＰＳ信号に同期する基地局または特定のマスタ基地局を最上位の基地局とし、同期クロックを順次下位の基地局の基準クロックとするカスケード接続の形式がとられる。しかし、同期クロックを次の基地局の基準クロックとすることで、段数を重ねるごとにその精度や安定性は低下する。なお、各基地局１１０が、例えば段数情報を利用して同期クロックがどの程度信頼できるものかを把握することにしてもよい。
【先行技術文献】
【特許文献】
【００１７】
【特許文献１】特開２００８−１８７３４０号公報
【発明の概要】
【発明が解決しようとする課題】
【００１８】
しかしながら、図５に示したような基地局装置には次のような課題がある。
【００１９】
各基地局装置において同期クロックを生成のための専用の回路が必要となり、回路規模が大きくなる。また、ＧＰＳ信号を受信できない基地局装置の数が多くなると、カスケード接続する基地局装置の段数が多くなって下位の基地局装置における同期精度が低くなる。その結果、基地局装置間を移動した端末の通信を継続できなくなったりする。また、基地局装置同士が非同期になれば基地局装置間で互いに干渉が生じる。
【００２０】
本発明の目的は、小さな回路規模により、ＧＰＳ信号が利用できないときにも安定した通信を継続でき、また干渉の増大を抑制することができる基地局装置を提供することにある。
【課題を解決するための手段】
【００２１】
上記目的を達成するために、本発明の基地局装置は、無線信号で端末と接続する基地局装置であって、
受信した外部基準信号に同期した第１の基準クロックを生成する第１のクロック生成部と、
前記外部基準信号に同期しない第２の基準クロックを自局内部で生成する第２のクロック生成部と、
前記第１のクロック生成部にて前記外部基準信号が受信されない場合、非同期の基地局間で端末の通信を維持できる非同期通信モードとなるとともに、自局が非同期状態である旨の非同期通知信号を送信し、周辺の基地局が非同期状態である旨の非同期通知信号が受信された場合、前記非同期通信モードとなり、前記非同期通信モードであるか否かに応じた通信制御を実行する基地局制御部と、
前記第１のクロック生成部にて前記外部基準信号が受信されない場合に前記無線信号の送信電力を低減し、前記外部基準信号が受信され、かつ、前記非同期通知信号が受信された場合に前記無線信号の送信電力を増大する出力調整部と、
前記第１のクロック生成部にて前記外部基準信号が受信されている場合、前記第１の基準クロックを自局の基準クロックとして選択し、前記第１のクロック生成部にて前記外部基準信号が受信されない場合、前記第２の基準クロックを自局の基準クロックとして選択するクロック選択部と、を有している。
【００２２】
本発明の制御方法は、無線信号で端末と接続する基地局装置の制御方法であって、
外部基準信号が受信されている場合、該外部基準信号に同期した第１の基準クロックを自局の基準クロックとして用い、
前記外部基準信号が受信されない場合、自局内で生成した第２の基準クロックを自局の基準クロックとして用い、非同期の基地局間で端末の通信を維持できる非同期通信モードとなり、前記無線信号の送信電力を低減するとともに、自局が非同期状態である旨の非同期通知信号を送信し、
周辺の基地局が非同期状態である旨の非同期通知信号が受信された場合、前記非同期通信モードとなり、前記無線信号の送信電力を増大し、
周辺の基地局と同期しているときに用いる同期通信モードであるか前記非同期通信モードであるかに応じた通信制御を実行するものである。
【発明の効果】
【００２３】
本発明によれば、小さな回路規模により、ＧＰＳ信号が利用できないときにも安定した通信を継続でき、また干渉の増大を抑制することができる。
【図面の簡単な説明】
【００２４】
【図１】本実施形態の基地局装置の構成を示すブロック図である。
【図２Ａ】複数の基地局装置１０を含む無線通信システムの動作を説明するための図である。
【図２Ｂ】複数の基地局装置１０を含む無線通信システムの動作を説明するための図である。
【図３Ａ】ある基地局装置がＧＰＳ信号を正常に受信できなくなったときの無線通信システムの挙動を説明するための図である。
【図３Ｂ】ある基地局装置がＧＰＳ信号を正常に受信できなくなったときの無線通信システムの挙動を説明するための図である。
【図４Ａ】本実施形態の無線通信システムの一実施例の動作を示すシーケンスチャートである。
【図４Ｂ】本実施形態の無線通信システムの一実施例の動作を示すシーケンスチャートである。
【図５】特許文献１に記載された基地局の構成を示すブロック図である。
【発明を実施するための形態】
【００２５】
本発明を実施するための形態について図面を参照して詳細に説明する。
【００２６】
図１は、本実施形態の基地局装置の構成を示すブロック図である。ここで例示される基地局装置１０は、ＧＰＳ衛星５０からのＧＰＳ信号５０ａに同期して動作する同期式の基地局装置であるが、ＧＰＳ信号５０ａを受信できない状態でも動作することが可能である。
【００２７】
図１を参照すると、基地局装置１０は、ＧＰＳ受信部１１、クロック選択部１２、非同期クロック生成部１３、無線送受信部１４、出力調整部１５、および基地局制御部１６を有している。
【００２８】
ＧＰＳ衛星５０はＧＰＳ信号５０ａを送出する。ＧＰＳ信号５０ａは基地局装置１０にて受信される。基地局１０は、ＧＰＳ衛星５０からのＧＰＳ信号５０ａを受信し、また不図示の端末と無線信号１０ａを送受信し、また不図示の基地局制御装置と制御信号１０ｂを送受信する。
【００２９】
ＧＰＳ受信部１１は、ＧＰＳ信号５０ａを受信し、ＧＰＳ信号５０ａに同期した同期クロック１１ａを生成してクロック選択部１２へ送信する。ＧＰＳ信号５０ａが受信できないときにはＧＰＳ受信部１１は正確な同期クロック１１ａを生成することができない。
【００３０】
非同期クロック生成部１３は、ＧＰＳ信号５０ａとは無関係に非同期クロック１３ａを生成してクロック選択部１２へ送信する。非同期クロック１３ａの周波数は一定精度で同期クロック１１ａの周波数と一致している。
【００３１】
クロック選択部１２は、同期クロック１１ａおよび非同期クロック１３ａを受信し、それらの一方を基準クロック１２ａとして選択する。具体的には、クロック選択部１２はＧＰＳ受信部１１にてＧＰＳ信号５０ａが受信されているときＧＰＳ受信部１１からの同期クロック１１ａを選択し、ＧＰＳ受信部１１にてＧＰＳ信号５０ａが受信されていないとき非同期クロック生成部１３からの非同期クロック１３ａを選択する。選択された基準クロック１２ａは基地局装置１０の各部の動作に用いられる。
【００３２】
また、クロック選択部１２は、ＧＰＳ受信部１１にてＧＰＳ信号５０ａが受信されないとき、つまり非同期クロック生成部１３からの非同期クロック１１ａを選択するとき、非同期状態であることを示す同期状態通知信号１２ｂを出力調整部１５および基地局制御部１６へ送信する。
【００３３】
基地局制御部１６は、基地局装置１０の各部の制御と、端末あるいは基地局制御装置との通信の制御を行う。
【００３４】
基地局制御部１６は、ＧＰＳ受信部１１にてＧＰＳ信号が受信されないとき、つまりクロック選択部１２から非同期状態であることを示す同期状態通知信号１２ｂを受信したとき、自局が周辺の基地局と非同期である非同期通信モードとなるとともに、自局が非同期状態である旨の非同期通知信号を制御信号１０ｂにより基地局制御装置に送信する。この非同期通知信号は基地局制御装置を経由して周辺の基地局に通知される。また、基地局制御部１６は、周辺の基地局が非同期状態である旨の非同期通知信号を基地局制御装置から受信したときにも非同期通信モードとなる。そして、基地局制御部１６は、自局が周辺の基地局と同期した同期通信モードであるか、あるいは非同期通信モードであるかにより異なる通信制御を実行する。
【００３５】
また、基地局制御部１６は、ＧＰＳ受信部１１にてＧＰＳ信号が受信されているか、つまりクロック選択部１２から非同期状態であることを示す同期状態通知信号１２ｂを受信したか否かと、自局が同期通信モードか非同期通信モードかに応じ、送信出力を指示するための出力調整信号１６ａを出力調整部１５に送信する。具体的には、ＧＰＳ受信部１１にてＧＰＳ信号が受信されないときには無線信号１０ａの送信電力を低減させ、ＧＰＳ信号が受信され、かつ、基地局制御装置から非同期通知信号が受信されたときには無線信号１０ａの送信電力を増大させる。
【００３６】
出力調整部１５は、基地局制御部１６からの出力調整信号１６ａに従って、無線送受信部１４による無線信号１０ａの送信出力を出力制御信号１５ａにより制御する。
【００３７】
無線送受信部１４は、出力制御信号１５ａに応じた送信出力で無線信号１０ａを送受信する。
【００３８】
以上説明したように、本実施形態によれば、ＧＰＳ信号５０ａを受信できない基地局が送信出力を下げて干渉を低減するとともに、その基地局の送信出力の低下を補うように周辺の基地局が送信出力を増大する。また、ＧＰＳ信号５０ａを受信できない基地局とその周辺の基地局の双方が、非同期の基地局間で端末の通信を維持できる非同期通信モードとなる。それにより、基地局に特別な回路を設けることなく、ＧＰＳ信号が利用できないときにも安定した通信を継続でき、また干渉の増大を抑制することができる。
【００３９】
次に、基地局装置１０およびそれを含む無線通信システムの動作について更に説明する。
【００４０】
図１において、基地局制御部１６は、クロック選択部１２からの同期状態通知信号１２ｂが同期状態から非同期状態に移行した場合には、上述したように、制御信号１０ｂによって、非同期状態で動作していることを示す非同期通知信号を基地局制御装置に送信する。一方、基地局制御部１６は、クロック選択部１２からの同期状態通知信号１２ｂが非同期状態から同期状態に移行した場合には、制御信号１０ｂによって、非同期状態から復帰したことを示す同期通知信号を基地局制御装置に送信する。
【００４１】
また、基地局制御部１６は、基地局制御装置からの制御信号１０ｂより、周辺の基地局が非同期状態で動作していることを示す非同期通知信号を受信した場合には、上述したように非同期通信モードに移行する。非同期通信モードにおいて、基地局制御部１６は、非同期の基地局間で実行可能なハンドオーバー制御を行う。
【００４２】
一例として、ハンドオーバー元の基地局が端末との接続を切断し、その端末とハンドオーバー先の基地局が接続するというようなハンドオーバー制御を行えばよい。また、ハンドオーバー元の基地局と接続中の端末とハンドオーバー先の基地局が接続し、その後でハンドオーバー元の基地局が端末との接続を切断するというようなハンドオーバー制御を行ってもよい。ただし、これらは例であり、互いに非同期の基地局間で端末の接続を切り替えることができるものであればよく、本発明においてその手順は限定されない。
【００４３】
また、基地局制御部１６は、周辺の基地局が非同期状態から同期状態に復帰したことを示す同期通知信号を受信すると、自局の動作モードを通常の同期通信モードへ戻し、増大させていた送信出力を通常の値に戻す旨を出力調整信号１６ａとして出力調整部１５へ送信する。
【００４４】
また、基地局制御部１６は、クロック選択部１２が非同期クロック１３ａを選択している状態から同期クロック１１ａを選択する状態に移行し、同期状態通知信号１２ｂが非同期状態から同期状態に移行すると、低減させていた送信出力を通常の値に戻す旨を出力調整信号１６ａとして出力調整部１５へ送信する。
【００４５】
図２Ａおよび図２Ｂは、複数の基地局装置１０を含む無線通信システムの動作を説明するための図である。
【００４６】
図２Ａに示すように、基地局装置１０1，１０2は共に基地局制御装置２０に接続されている。またＧＰＳ衛星５０はＧＰＳ信号を送出しており、通常の状態ではＧＰＳ信号が基地局装置１０1，１０2にて受信されている。端末３０は基地局装置１０1に接続して通信を行っている。
【００４７】
ここで、図２Ｂに示すように、障害等の何らかの原因で基地局装置１０1がＧＰＳ信号を正常に受信できなくなったとする。その場合、基地局装置１０1は、自局内で生成した非同期クロックで動作するとともに、無線信号の送信電力を低下させ、非同期通信モードに移行して端末３０との通信を継続し、自局が非同期状態である旨の非同期通知信号を基地局制御装置２０に送信する。この状態では、図２Ｂに示されているように、基地局装置１０1の電波到達エリアの半径が通常より小さくなる。
【００４８】
基地局制御装置２０は、基地局装置１０1から非同期状態である旨の非同期通知信号を受信すると、周辺の基地局装置（ここでは基地局装置１０2）へ基地局１０1が非同期状態である旨の非同期通知信号を送る。
【００４９】
基地局装置１０2は、基地局制御装置２０から、基地局装置１０1が非同期状態である旨の非同期通知信号を受信すると、非同期通信モードに移行し、無線信号の送信出力を増加する。この状態では、図２Ｂに示されているように、基地局装置１０2の電波到達エリアが通常より大きくなり、基地局装置１０1の電波到達エリアが小さくなったことを補う。
【００５０】
続いて、障害の復旧等により、基地局装置１０1がＧＰＳ衛星５０からのＧＰＳ信号を受信できるようになったとする。ＧＰＳ信号を正常に受信できるようになった基地局装置１０1は、低減させていた無線信号の送信出力を元に戻し、非同期状態から復帰したことを示す同期通知信号を基地局制御装置２０へ送信する。
【００５１】
基地局制御装置２０は、基地局装置１０1から同期通知信号を受信すると、周辺の基地局装置（ここでは基地局装置１０2）へ、基地局１０1が非同期状態から復帰したことを示す同期通知信号を送信する。
【００５２】
基地局装置１０2は、基地局装置１０1が非同期状態から復帰したことを示す同期通知信号を受信すると、動作モードを非同期通信モードから通常の同期通信モードへ戻し、増加させていた送信出力を通常の値に戻す。
【００５３】
このようにして、本実施形態では、基地局装置１０1がＧＰＳ衛星５０と同期していない状態でも非同期通信モードにより端末３０との通信を継続できる。また、非同期となった基地局装置１０1が無線信号の送信出力を低下させるので、周辺の基地局装置１０への干渉の影響を低減することができる。
【００５４】
図３Ａ、図３Ｂは、ある基地局装置がＧＰＳ信号を正常に受信できなくなったときの無線通信システムの挙動を説明するための図である。図３Ａには、複数の基地局装置１０1〜１０8が全てＧＰＳ信号を良好に受信できている状態が示されている。この状態から基地局装置１０1がＧＰＳ信号を受信できない状態になったものとする。図３Ｂには、基地局装置１０1がＧＰＳ信号を受信できなくなったときの、無線通信システム全体の様子が示されている。
【００５５】
基地局装置１０1はＧＰＳ信号を受信できないので、非同期通信モードに移行するとともに、他の基地局装置との干渉を防ぐ為に送信出力を一定量だけ低減させる。さらに基地局装置１０1は、不図示の基地局制御装置経由で、周辺の基地局装置（ここでは基地局装置１０2〜１０6）へ、自局が非同期状態で動作していることを通知する。
【００５６】
例えば基地局装置１０1との間でハンドオーバーが生じ得る基地局装置に、基地局装置１０1が非同期状態であることを通知することにしてもよい。これにより基地局装置１０1と他の基地局装置の間でのハンドオーバーが可能な状態となる。また、そのような周辺の基地局装置は、通常、基地局装置１０1と互いに隣接しているので、その周辺の基地局装置の送信電力を増加することで、基地局装置１０1の送信出力の低下を補うことができる。また他の例として、基地局装置１０1に隣接する基地局装置に対して、基地局装置１０1が非同期状態となったことを通知することにしてもよい。
【００５７】
図３Ｂでは、基地局装置１０1が非同期状態となった旨の通知が矢印で示されている。通知を受けた周辺の基地局装置（基地局装置１０2〜１０6）は、自局の動作モードを非同期通信モードへ移行し、必要に応じて、自局の送信出力を一定量だけ増加させる。図３Ｂでは、破線で囲まれた基地局装置が非同期通信モードとなっている。
【００５８】
この状態では、図３Ｂに示されているように、基地局装置１０1の電波到達エリアが小さくなり、それを補うように周辺の基地局装置１０2〜１０6の電波到達エリアが大きくなっている。
【００５９】
送信電力を低減させる量および増加させる量は、基地局装置毎に予め設定されていてもよい。例えば、どの基地局装置が、ＧＰＳ信号を受信できないとき、どれだけ送信電力を低下させるかを予め設定しておいてもよい。また、どの基地局装置が非同期状態となったら、その周辺のどの基地局装置がどれだけ送信電力を増加させるかを予め設定しておいてもよい。
【００６０】
また、非同期状態となった基地局装置１０1自身と、その基地局装置１０1との間でハンドオーバーが生じ得る基地局装置１０2〜１０6は非同期通信モードに移行し、基地局装置１０1と基地局装置１０2〜１０6との間のハンドオーバーを可能にしている。
【００６１】
また、図３Ｂの状態から、基地局装置１０1がＧＰＳ信号を正常に受信できる状態になると、基地局装置１０1は、自局の動作モードを非同期通信モードから通常の同期通信モードに移行し、低減させていた送信電力を元の値に戻す。また、基地局装置１０1は、周辺の基地局装置１０2〜１０6に自局が非同期状態から復帰したことを通知する。
【００６２】
基地局装置１０1が非同期状態から復帰した旨の通知を受けた基地局装置１０2〜１０6は、自局の動作モードを通常の同期通信モードに戻し、送信出力も元に戻す。
【００６３】
なお、図３Ａ〜３Ｂを用いた説明では、基地局装置１０1〜１０8が固定的に設置された固定式基地局である例を示したが、本発明はこれに限定されものではない。基地局装置１０1〜１０8の一部または全てが移動可能な移動式基地局であってもよい。その場合でも、ＧＰＳ信号を正常に受信できなくなった基地局装置、およびその周辺に存在する基地局装置を非同期通信モードにすると共に、ＧＰＳ信号を正常に受信できなくなった基地局装置の送信電力を低減し、その周辺に存在する基地局装置の送信電力を増加すればよい。移動式基地局の例としては、自動車、鉄道、航空機、船舶などの移動体に設置され、それら移動体と共に移動する基地局がある。また、災害地やイベント会場に一時的に設置したり、故障機器の代替として一時的に設置したりする基地局もある。
【００６４】
以上説明したように、本実施形態によれば、ＧＰＳ信号を正常に受信できない状態でも基地局装置１０が動作できるので、ＧＰＳ衛星５０からの電波が悪い状態でも端末３０が通信を行えないエリアを最小限にできる。
【００６５】
また、本実施形態によれば、ＧＰＳ信号が正常に受信できない状態でも基地局装置１０は動作できるので、基地局装置１０を地下街のようなＧＰＳ信号を受信できない場所に、特別な回路を追加することなく、設置することができる。
【００６６】
また、本実施形態によれば、基地局装置１０は、ＧＰＳ信号を正常に受信できない状態でも、他の基地局装置からの電波等を利用せずに、非同期状態で動作するので、複数の基地局装置１０が設置されるような広範囲にわたってＧＰＳ信号が受信できないような環境においても安定して通信を継続できる。
【００６７】
また、本実施形態によれば、ＧＰＳ信号を正常に受信できない状態でも基地局装置１０が動作できるので、基地局装置１０の試験時にＧＰＳ信号発生器を準備しなくても、試験を実施することができる。
【００６８】
図４Ａおよび図４Ｂは、本実施形態の無線通信システムの一実施例の動作を示すシーケンスチャートである。図４Ａには、基地局装置１０1におけるＧＰＳ信号の受信に異常が発生したときのシーケンスが示されている。図４Ｂには、基地局装置１０1におけるＧＰＳ信号の受信が復旧したときのシーケンスが示されている。
【００６９】
図４Ａを参照すると、本実施例では、ＧＰＳ衛星５０からのＧＰＳ信号が基地局１０1にて受信されている（ステップＳ１０１）。このＧＰＳ信号には時刻の基準を示す情報が含まれている。
【００７０】
基地局装置１０1は、ＧＰＳ信号を正常に受信できていれば、基地局制御装置２０に対して、状態通知としてＧＰＳ信号の受信が良好である旨を通知する（ステップＳ１０２）。
【００７１】
何らかの原因で、基地局装置１０1がＧＰＳ衛星５０からのＧＰＳ信号を正常に受信できなくなると（ステップＳ１０３）、基地局装置１０1は、非同期通信モードに移行し、送信電力を低減するとともに（ステップＳ１０４）、状態通知として、ＧＰＳ信号の受信が不良である旨を基地局制御装置２０に通知する（ステップＳ１０５）。本実施例において、基地局装置１０1のＧＰＳ信号の受信が不良であることは、すなわち基地局装置１０1が非同期状態であることを意味する。
【００７２】
ＧＰＳ信号の受信が不良である旨の状態通知を受信した基地局制御装置２０は、基地局装置１０1の周辺の基地局装置１０2に、非同期通信モードへの移行を指示するモード移行通知を送信する（ステップＳ１０６）。モード移行通知を受信した基地局装置１０2は、非同期通信モードに移行し、送信電力を増加させるとともに（ステップＳ１０７）、非同期モードに移行した旨を示す状態通知を基地局制御装置２０に送信する（ステップＳ１０８）。基地局装置１０2から状態通知を受信した基地局制御装置２０は、周辺の基地局装置１０2が送信電力を増加させたことを通知する出力変更通知を基地局装置１０1に送信する（ステップＳ１０９）。
【００７３】
図４Ｂを参照すると、基地局装置１０1におけるＧＰＳ信号の受信が復旧すると（ステップＳ２０１）、基地局装置１０1は、自局の動作モードを元の同期通信モードに戻し、送信電力も元に戻すとともに（ステップＳ２０２）、状態通知としてＧＰＳ信号の受信が良好である旨を基地局制御装置２０に通知する（ステップＳ２０３）。本実施例において、ＧＰＳ信号の受信が良好であることは、すなわち同期状態であることを意味する。
状態通知を受信した基地局制御装置２０は、周辺の基地局装置１０2に、元の同期通信モードに移行することを指示するモード移行通知を送信する（ステップＳ２０４）。モード移行通知を受信した周辺の基地局装置１０2は、元の同期通信モードに戻り、送信電力も元に戻すととともに（ステップＳ２０５）、同期通信モードに移行した旨を示す状態通知を基地局制御装置２０に送信する（ステップＳ２０６）。状態通知を受信した基地局制御装置２０は、基地局装置１０2の送信出力が元に戻ったことを示す出力変更通知を基地局装置１０1に送信する（ステップＳ２０７）。
【００７４】
なお、ステップＳ１０９とステップＳ２０７の出力変更通知は、システムの動作上特に必要が無ければ送信しないことにしてもよい。
【００７５】
以上、本発明の実施形態および実施例について述べてきたが、本発明は、これらの実施形態および実施例に限定されるものではなく、本発明の技術思想の範囲内において、これらを組み合わせて使用したり、一部の構成を変更したりしてもよい。
【符号の説明】
【００７６】
１０、１０1、１０2    基地局装置
１１    ＧＰＳ受信部
１２    クロック選択部
１３    非同期クロック生成部
１４    無線送受信部
１５    出力調整部
１６    基地局制御部
２０    基地局制御装置
３０    端末
５０    ＧＰＳ衛星
【図１】
2011233968.tif 000003
【図２Ａ】
2011233968.tif 000004
【図２Ｂ】
2011233968.tif 000005
【図３Ａ】
2011233968.tif 000006
【図３Ｂ】
2011233968.tif 000007
【図４Ａ】
2011233968.tif 000008
【図４Ｂ】
2011233968.tif 000009
【図５】
2011233968.tif 000010